【手続補正書】
【提出日】平成26年8月18日(2014.8.18)
【手続補正１】
【補正対象書類名】特許請求の範囲
【補正対象項目名】全文
【補正方法】変更
【補正の内容】
【特許請求の範囲】
【請求項１】
現像剤を収容する現像剤収容部を有する現像容器と、
前記現像剤を外周面に保持して回転し、回転軸の延在する方向を長手方向とし、静電潜像担持体に対向する現像剤担持体と、
前記現像剤担持体の長手方向に沿って前記現像剤担持体の外周面に当接し、前記現像剤担持体と前記現像容器との間からの前記現像剤の漏洩を防止する長手方向シール部材と、
前記長手方向シール部材と前記現像剤担持体の外周面との間から漏洩した現像剤を捕捉する捕捉部と
を備えることを特徴とする現像装置。
【請求項２】
前記捕捉部は、
前記長手方向シール部材と前記現像剤担持体との当接部に対して前記現像剤収容部の反対側に位置し、前記長手方向に延在する第１壁面と、
前記第１壁面よりも前記当接部側に位置し、前記長手方向に延在し、前記第１壁面との間に前記漏洩した現像剤を収容する収容空間を形成する第２壁面と
を有することを特徴とする請求項１に記載の現像装置。
【請求項３】
前記第１壁面は、前記現像容器側から、前記現像剤担持体の前記外周面のうち前記当接部よりも前記現像剤担持体の回転方向上流側の部分に向かって延び、前記現像剤担持体および前記静電潜像担持体との間に所定の隙間を有することを特徴とする請求項２に記載の現像装置。
【請求項４】
前記第２壁面は、前記現像剤担持体の外周面のうち前記回転方向上流側の部分よりも前記現像剤担持体の回転方向下流側の部分と当接することを特徴とする請求項３に記載の現像装置。
【請求項５】
前記第２壁面は、前記長手方向シール部材により形成されることを特徴とする請求項２から４のいずれか１項に記載の現像装置。
【請求項６】
前記捕捉部は、前記長手方向シール部材と前記現像剤担持体との当接部に対して前記現像剤収容部の反対側において、前記現像剤担持体の外周面との間に所定の隙間を有するように、前記現像容器側から、前記外周面のうち前記当接部よりも前記現像剤担持体の回転方向上流側の部分に向かって延び、前記長手方向に延在する捕捉部材を有することを特徴とする請求項１に記載の現像装置。
【請求項７】
前記捕捉部材は、前記長手方向シール部材と一体的に構成され、前記長手方向シール部材の前記現像剤担持体と当接する側とは反対側の端部から前記外周面の前記回転方向上流側の部分に向かって延びることを特徴とする請求項６に記載の現像装置。
【請求項８】
前記捕捉部材は、
前記長手方向シール部材に沿って、前記外周面のうち前記回転方向上流側の部分よりも前記現像剤担持体の回転方向下流側の部分に向かって延びる固定部と、
前記固定部の前記現像剤担持体側とは反対側の端部から前記外周面の前記回転方向上流側の部分に向かって突出する突出部と
を有し、
前記固定部には、前記長手方向シール部材の前記現像剤担持体と当接する側とは反対側の部分が固定され、前記固定部は、前記現像容器に設けられた設置面上に固定され、
前記突出部は、前記外周面との間に所定の隙間を有することを特徴とする請求項７に記載の現像装置。
【請求項９】
前記現像容器に前記長手方向に延在するように設けられ、前記長手方向シール部材の撓みを抑制する剛性部材をさらに備えることを特徴とする請求項１から８のいずれか１項に記載の現像装置。
【請求項１０】
前記現像容器は、前記現像剤収容部を形成する現像容器本体と、前記現像容器本体に取り付けられ、前記長手方向シール部材を支持する長手方向シール部材ホルダとを備え、
前記剛性部材は、前記長手方向シール部材ホルダに設けられることを特徴とする請求項９に記載の現像装置。
【請求項１１】
静電潜像を担持する静電潜像担持体と、
前記静電潜像担持体に形成された静電潜像を現像剤により現像する現像装置と
を含み、
前記現像装置は、
前記現像剤を収容する現像剤収容部を有する現像容器と、
前記現像剤を外周面に保持して回転し、回転軸の延在する方向を長手方向とし、前記静電潜像担持体に対向する現像剤担持体と、
前記現像剤担持体の長手方向に沿って前記現像剤担持体の外周面に当接し、前記現像剤担持体と前記現像容器との間からの前記現像剤の漏洩を防止する長手方向シール部材と、
前記長手方向シール部材と前記現像剤担持体の外周面との間から漏洩した現像剤を捕捉する捕捉部と
を備えることを特徴とする画像形成ユニット。
【請求項１２】
静電潜像を担持する静電潜像担持体と、
前記静電潜像担持体に形成された静電潜像を現像剤により現像して現像剤像を形成する現像装置と、
前記静電潜像担持体に形成された現像剤像を被転写体に転写する転写装置と
を含み、
前記現像装置は、
前記現像剤を収容する現像剤収容部を有する現像容器と、
前記現像剤を外周面に保持して回転し、回転軸の延在する方向を長手方向とし、前記静電潜像担持体に対向する現像剤担持体と、
前記現像剤担持体の長手方向に沿って前記現像剤担持体の外周面に当接し、前記現像剤担持体と前記現像容器との間からの前記現像剤の漏洩を防止する長手方向シール部材と、
前記長手方向シール部材と前記現像剤担持体の外周面との間から漏洩した現像剤を捕捉する捕捉部と
を備えることを特徴とする画像形成装置。
【手続補正２】
【補正対象書類名】明細書
【補正対象項目名】０００７
【補正方法】変更
【補正の内容】
【０００７】
本発明に係る現像装置は、現像剤を収容する現像剤収容部を有する現像容器と、前記現像剤を外周面に保持して回転し、回転軸の延在する方向を長手方向とし、静電潜像担持体に対向する現像剤担持体と、前記現像剤担持体の長手方向に沿って前記現像剤担持体の外周面に当接し、前記現像剤担持体と前記現像容器との間からの前記現像剤の漏洩を防止する長手方向シール部材と、前記長手方向シール部材と前記現像剤担持体の外周面との間から漏洩した現像剤を捕捉する捕捉部とを備えることを特徴とする。
【手続補正３】
【補正対象書類名】明細書
【補正対象項目名】０００８
【補正方法】変更
【補正の内容】
【０００８】
本発明に係る画像形成ユニットは、静電潜像を担持する静電潜像担持体と、前記静電潜像担持体に形成された静電潜像を現像剤により現像する現像装置とを含み、前記現像装置は、前記現像剤を収容する現像剤収容部を有する現像容器と、前記現像剤を外周面に保持して回転し、回転軸の延在する方向を長手方向とし、前記静電潜像担持体に対向する現像剤担持体と、前記現像剤担持体の長手方向に沿って前記現像剤担持体の外周面に当接し、前記現像剤担持体と前記現像容器との間からの前記現像剤の漏洩を防止する長手方向シール部材と、前記長手方向シール部材と前記現像剤担持体の外周面との間から漏洩した現像剤を捕捉する捕捉部とを備えることを特徴とする。
【手続補正４】
【補正対象書類名】明細書
【補正対象項目名】０００９
【補正方法】変更
【補正の内容】
【０００９】
本発明に係る画像形成装置は、静電潜像を担持する静電潜像担持体と、前記静電潜像担持体に形成された静電潜像を現像剤により現像して現像剤像を形成する現像装置と、前記静電潜像担持体に形成された現像剤像を被転写体に転写する転写装置とを含み、前記現像装置は、前記現像剤を収容する現像剤収容部を有する現像容器と、前記現像剤を外周面に保持して回転し、回転軸の延在する方向を長手方向とし、前記静電潜像担持体に対向する現像剤担持体と、前記現像剤担持体の長手方向に沿って前記現像剤担持体の外周面に当接し、前記現像剤担持体と前記現像容器との間からの前記現像剤の漏洩を防止する長手方向シール部材と、前記長手方向シール部材と前記現像剤担持体の外周面との間から漏洩した現像剤を捕捉する捕捉部とを備えることを特徴とする。